【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】表示方法、信号生成装置、表示制御方法および表示制御装置
【手続補正２】
【補正対象書類名】明細書
【補正対象項目名】特許請求の範囲
【補正方法】変更
【補正の内容】
【特許請求の範囲】
【請求項１】  
複数のコンテンツの中から所望のコンテンツを指定するために用いられるコンテンツ内容を示す情報を画面に表示する表示方法であって、
前記複数のコンテンツにそれぞれ対応しており、当該対応するコンテンツを示す情報を指定するために用いられる複数の指定用表示パターンのうち一部の指定用表示パターンを画面に表示し、
指示に応じて、前記複数の指定用表示パターンのうち前記指示前に前記表示されていなかった前記指定用表示パターンを前記画面に表示する、
ことを特徴とする、表示方法。
【請求項２】
予め決められた所定数以下の前記指定用表示パターンを前記画面に同時に表示する、
請求項１に記載の表示方法。
【請求項３】
前記指示に応じて、前記画面において前記指定用表示パターンをスクロール表示する、
請求項１に記載の表示方法。
【請求項４】
シンボル、文字、画像および映像の少なくとも一つを用いて前記対応するコンテンツの内容を示した前記指定用表示パターンを表示する、
請求項１に記載の表示方法。
【請求項５】
前記指定用表示パターンが指定されると、当該指定された指定用表示パターンに対応したコンテンツの内容を示す情報の一覧を表示する、
請求項１に記載の表示方法。
【請求項６】
前記コンテンツの内容を示す情報の一覧をシンボル、文字、画像および映像の少なくとも一つを用いて表示する、
請求項５に記載の表示方法。
【請求項７】
複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報それぞれに対応した複数のコンテンツ指定用表示パターンとを同時に表示する表示方法であって、
指示に応じて前記複数のグループ指定用表示パターンのうち前記指示前に前記表示されていなかった前記グループ指定用表示パターンを前記画面に表示し、
前記指示に応じて前記複数のコンテンツ指定用表示パターンのうち前記指示前に前記表示されていなかった前記コンテンツ指定用表示パターンを前記画面に表示する、
ことを特徴とする、表示方法。
【請求項８】
前記グループが複数の階層に分類されている場合に、上位の階層から下位の階層に向けて順にグループ指定用表示パターンが指定されると、最下層で指定されたグループに属する前記単数または複数のコンテンツの内容を示す情報に対応した前記コンテンツ指定用表示パターンを表示する、
請求項７に記載の表示方法。
【請求項９】
前記各階層に属するグループの前記グループ指定用表示パターンを所定のグループ指定用領域内に表示する、
請求項８に記載の表示方法。
【請求項１０】
前記複数の全ての階層に対応した前記グループ指定用領域を前記画面内に同時に規定しておく、
請求項８に記載の表示方法。
【請求項１１】
指示された階層の前記グループ指定用表示パターンを、前記グループ指定用領域内に表示する、
請求項７に記載の表示方法。
【請求項１２】
指示に応じて、前記グループ指定用領域内に表示する前記グループ指定用表示パターンが属する階層を、前記画面においてスクロール表示する、
請求項１１に記載の表示方法。
【請求項１３】
予め決められた所定数以下の前記グループ指定用表示パターンおよび前記コンテンツ指定用表示パターンを前記画面に同時に表示する、
請求項７に記載の表示方法。
【請求項１４】
前記指示に応じて、前記グループ指定用表示パターンおよび前記コンテンツ指定用表示パターンの少なくとも一方を前記画面においてスクロール表示する、
請求項７に記載の表示方法。
【請求項１５】
シンボル、文字、画像および映像の少なくとも一つを用いて前記対応するグループの内容を示した前記グループ指定用表示パターン、あるいは、シンボル、文字、画像および映像の少なくとも一つを用いて前記対応するコンテンツの内容を示した前記コンテンツ指定用表示パターンを表示する、
請求項７に記載の表示方法。
【請求項１６】
前記コンテンツ指定用表示パターンが指定されると、当該指定されたコンテンツ指定用表示パターンに対応したコンテンツに含まれる、画像の表示およびオーディオの出力の少なくとも一方を行う、
請求項７に記載の表示方法。
【請求項１７】
複数のコンテンツの中から所望のコンテンツを指定するために用いられるコンテンツ内容を示す情報を画面に表示する表示信号を生成する信号生成装置であって、
前記複数のコンテンツにそれぞれ対応しており、当該対応するコンテンツを示す情報を指定するために用いられる複数の指定用表示パターンのうち一部の指定用表示パターンを画面に表示し、指示に応じて、前記複数の指定用表示パターンのうち前記指示前に前記表示されていなかった前記指定用表示パターンを前記画面に表示する表示信号を生成する信号生成手段を有する、
ことを特徴とする、信号生成装置。
【請求項１８】
複数のグループのそれぞれに単数または複数のコンテンツを示す情報が割り当てられており、前記複数のグループのうち任意のグループを指定するために用いられ、前記複数のグループにそれぞれ対応した複数のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報のそれぞれに対応した複数の番組指定用表示パターンとを同時に表示する表示信号を生成する信号生成装置であって、
指示に応じて、前記複数のグループ指定用表示パターンのうち前記指示前に前記表示されていなかった前記グループ指定用表示パターンを前記画面に表示し、指示に応じて、前記複数の番組指定用表示パターンのうち前記指示前に前記表示されていなかった前記番組指定用表示パターンを前記画面に表示する表示信号を生成する信号生成手段を有する、
ことを特徴とする、信号生成装置。
【請求項１９】
複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを画面に表示し、
ユーザによる一定方向の操作に応じて、前記複数のグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを表示する、
ことを特徴とする、表示制御方法。
【請求項２０】
前記一定方向に直交する方向の操作に応じて、前記複数のコンテンツ指定用表示パターンをスクロール表示させる、
ことを特徴とする請求項１９に記載の表示制御方法。
【請求項２１】
指示に応じて、前記複数のグループ指定用表示パターンのうち前記指示前に前記表示されていなかった前記グループ指定用表示パターンを前記画面に表示し、
前記指示に応じて、前記複数のコンテンツ指定用表示パターンのうち前記指示前に前記表示されていなかった前記コンテンツ指定用表示パターンを前記画面に表示する、
ことを特徴とする請求項１９に記載の表示制御方法。
【請求項２２】
複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを画面に表示する、第１表示処理手段と、
ユーザによる一定方向の操作に応じて、前記複数のグループ指定用表示パターンから１つのグループを指定する指定手段と、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを表示する、第２表示処理手段と、
を有することを特徴とする、表示制御装置。
【請求項２３】
複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを一定方向に表示し、
ユーザによる一定方向の操作に応じて、前記複数のグループ指定用表示パターンから１つのグループを指定し、
前記指定されたグループに属する前記単数または複数のコンテンツの内容を示す情報のうち任意のコンテンツの内容を示す情報を指定するために用いられ、前記指定されたグループに属する前記単数または複数のコンテンツのそれぞれに対応した複数のコンテンツ指定用表示パターンを、前記一定方向に直行する方向に表示する、
ことを特徴とする表示制御方法。
【請求項２４】
前記一定方向に直交する方向の操作に応じて、前記複数のコンテンツ指定用表示パターンをスクロール表示させる
ことを特徴とする請求項２３に記載の表示制御方法。
【請求項２５】
指示に応じて、前記複数のグループ指定用表示パターンのうち前記指示前に前記表示されていなかった前記グループ指定用表示パターンを前記画面に表示し、
前記指示に応じて、前記複数のコンテンツ指定用表示パターンのうち前記指示前に前記表示されていなかった前記コンテンツ指定用表示パターンを前記画面に表示する、
ことを特徴とする請求項２３に記載の表示制御方法。
【請求項２６】
複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを一定方向に表示する、第１の表示処理手段と、
ユーザによる一定方向の操作に応じて、前記複数のグループ指定用表示パターンから１つのグループを指定する、指定手段と、
前記指定されたグループに属する前記単数または複数のコンテンツの内容を示す情報のうち任意のコンテンツの内容を示す情報を指定するために用いられ、前記指定されたグループに属する前記単数または複数のコンテンツのそれぞれに対応した複数のコンテンツ指定用表示パターンを、前記一定方向に直行する方向に表示する、第２の表示処理手段と
を有する、ことを特徴とする表示制御装置。
【手続補正３】
【補正対象書類名】明細書
【補正対象項目名】０００１
【補正方法】変更
【補正の内容】
【０００１】
【発明の属する技術分野】
本発明は、本発明は、複数の番組（プログラム）から視聴者が希望する番組内容（コンテンツ）を示す番組を選択し、選択した番組の内容の再生を行うため、表示スクリーンに表示された番組を指定するために用いられる表示方法、表示方法、信号生成装置および表示制御装置に関する。
【手続補正４】
【補正対象書類名】明細書
【補正対象項目名】０００２
【補正方法】変更
【補正の内容】
【０００２】
【従来の技術】
近年、放送衛星、通信衛星などの衛星を用いてテレビジョン放送信号をデジタル化して伝送し、各家庭の受信装置で、これを受信するシステムがある。
このシステムでは、多数のチャンネルを確保でき、多数の番組（プログラム）を放送できる。
そのため、所望の番組を選択するための電子番組ガイド（ＥＰＧ:ElectronicProgram Guide)情報を番組と共に伝送し、受信装置で、ＥＰＧの内容をモニタ表示し、表示された電子番組ガイドを見ながら、ユーザが所望の番組を迅速に選択することを可能にしている。
【手続補正５】
【補正対象書類名】明細書
【補正対象項目名】０００３
【補正方法】変更
【補正の内容】
【０００３】
例えば、特開平１１−１５０６９１号には、複数の放送番組の中から視聴者が望む番組内容（コンテンツ（映像および／または音声））を示す番組を効果的に選択するため、番組内容（コンテンツ）を示す番組を複数の階層に分類して階層化しておき、複数の階層を用いて分類された複数のプログラムを、画面上で、上位の階層の番組から順に下位の階層の番組を指定する受信装置が開示されている。
この受信装置では、先ず、第１階層に属する複数のテーマのそれぞれに対応した指定用表示パターンが全て表示される。そして、ユーザ（視聴者）からの指示に応じて、任意の一の指定用表示パターンが指定されると、当該指定用表示パターンに対応した第１階層のテーマに属する複数の第２階層のテーマのそれぞれに対応した指定用表示パターンの全てが表示される。ユーザは、第１階層の場合と同様に、第２階層の任意の一の指定用表示パターンを指定し、順次、下層のテーマを指定しながら、最終的に、最下層のテーマに属する複数のプログラムの中から自分が試聴を希望する番組内容コンテンツを示す一のプログラム（コンテンツ）を指定する。
【手続補正６】
【補正対象書類名】明細書
【補正対象項目名】０００４
【補正方法】変更
【補正の内容】
【０００４】
【発明が解決しようとする課題】
しかしながら、上述した特開平１１−１５０６９１号に開示された受信装置による視聴者が希望する番組内容（コンテンツ）を示すプログラムの指定方法では、各階層のテーマ、並びに最下層のプログラムに対応した全ての指定用表示パターンが表示されることから、各階層のテーマ数、並びに最下層のプログラム数が多くなるに従って、指定用表示パターンの大きさを小さくする必要があり、今後、チャンネル数がさらに増加した場合に、指定用表示パターンが非常に小さな大きさで表示しなければならず、画面が見にくくなると共に、ユーザによる指定操作が困難になるという問題がある。
【手続補正７】
【補正対象書類名】明細書
【補正対象項目名】０００５
【補正方法】変更
【補正の内容】
【０００５】
本発明は上述した従来技術の問題点に鑑みてなされ、番組を指定するための指定用表示パターンの数が増えた場合でも、ユーザ（視聴者）が希望する番組内容（コンテンツ）を示す番組を容易に検索して指定できる表示方法、信号生成装置、表示制御方法および表示制御装置を提供することを目的とする。
【手続補正８】
【補正対象書類名】明細書
【補正対象項目名】０００６
【補正方法】変更
【補正の内容】
【０００６】
【課題を解決するための手段】
本発明によれば、複数のコンテンツの中から所望のコンテンツを指定するために用いられるコンテンツ内容を示す情報を画面に表示する表示方法であって、
前記複数のコンテンツにそれぞれ対応しており、当該対応するコンテンツを示す情報を指定するために用いられる複数の指定用表示パターンのうち一部の指定用表示パターンを画面に表示し、
指示に応じて、前記複数の指定用表示パターンのうち前記指示前に前記表示されていなかった前記指定用表示パターンを前記画面に表示する、
ことを特徴とする、表示方法が提供される。
【手続補正９】
【補正対象書類名】明細書
【補正対象項目名】０００７
【補正方法】変更
【補正の内容】
【０００７】
好ましくは、予め決められた所定数以下の前記指定用表示パターンを前記画面に同時に表示する。
また好ましくは、前記指示に応じて、前記画面において前記指定用表示パターンをスクロール表示する。
さらに好ましくは、シンボル、文字、画像および映像の少なくとも一つを用いて前記対応するコンテンツの内容を示した前記指定用表示パターンを表示する。
好ましくは、前記指定用表示パターンが指定されると、当該指定された指定用表示パターンに対応したコンテンツの内容を示す情報の一覧を表示する。
また好ましくは、前記コンテンツの内容を示す情報の一覧をシンボル、文字、画像および映像の少なくとも一つを用いて表示する。
【手続補正１０】
【補正対象書類名】明細書
【補正対象項目名】０００８
【補正方法】変更
【補正の内容】
【０００８】
また本発明によれば、複数のグループのそれぞれに単数または複数のコンテンツを示す情報が割り当てられており、前記複数のグループのうち任意のグループを指定するために用いられ、前記複数のグループにそれぞれ対応した複数のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報それぞれに対応した複数のコンテンツ指定用表示パターンとを同時に表示する表示方法であって、
指示に応じて、前記複数のグループ指定用表示パターンのうち前記指示前に前記表示されていなかった前記グループ指定用表示パターンを前記画面に表示し、
前記指示に応じて、前記複数のコンテンツ指定用表示パターンのうち前記指示前に前記表示されていなかった前記コンテンツ指定用表示パターンを前記画面に表示する、ことを特徴とする、表示方法が提供される。
【手続補正１１】
【補正対象書類名】明細書
【補正対象項目名】０００９
【補正方法】変更
【補正の内容】
【０００９】
好ましくは、前記グループが複数の階層に分類されている場合に、上位の階層から下位の階層に向けて順にグループ指定用表示パターンが指定されると、最下層で指定されたグループに属する前記単数または複数のコンテンツの内容を示す情報に対応した前記コンテンツ指定用表示パターンを表示する。
また好ましくは、前記各階層に属するグループの前記グループ指定用表示パターンを所定のグループ指定用領域内に表示する。
さらに好ましくは、前記複数の全ての階層に対応した前記グループ指定用領域を前記画面内に同時に規定しておく。
好ましくは、指示された階層の前記グループ指定用表示パターンを、前記グループ指定用領域内に表示する。
また好ましくは、指示に応じて、前記グループ指定用領域内に表示する前記グループ指定用表示パターンが属する階層を、前記画面においてスクロール表示する。
好ましくは、予め決められた所定数以下の前記グループ指定用表示パターンおよび前記コンテンツ指定用表示パターンを前記画面に同時に表示する。
また好ましくは、前記指示に応じて、前記グループ指定用表示パターンおよび前記コンテンツ指定用表示パターンの少なくとも一方を前記画面においてスクロール表示する。
【手続補正１２】
【補正対象書類名】明細書
【補正対象項目名】００１０
【補正方法】変更
【補正の内容】
【００１０】
好ましくは、シンボル、文字、画像および映像の少なくとも一つを用いて前記対応するグループの内容を示した前記グループ指定用表示パターン、あるいは、シンボル、文字、画像および映像の少なくとも一つを用いて前記対応するコンテンツの内容を示した前記コンテンツ指定用表示パターンを表示する。
さらに好ましくは、前記コンテンツ指定用表示パターンが指定されると、当該指定されたコンテンツ指定用表示パターンに対応したコンテンツに含まれる、画像表示およびオーディオ出力の少なくとも一方を行う。
【手続補正１３】
【補正対象書類名】明細書
【補正対象項目名】００１１
【補正方法】変更
【補正の内容】
【００１１】
本発明によれば、複数のコンテンツの中から所望のコンテンツを指定するために用いられるコンテンツ内容を示す情報を画面に表示する表示信号を生成する信号生成装置であって、
前記複数のコンテンツにそれぞれ対応しており、当該対応するコンテンツを示す情報を指定するために用いられる複数の指定用表示パターンのうち一部の指定用表示パターンを画面に表示し、指示に応じて、前記複数の指定用表示パターンのうち前記指示前に前記表示されていなかった前記指定用表示パターンを前記画面に表示する表示信号を生成する信号生成手段とを有する、ことを特徴とする、信号生成装置が提供される。
【手続補正１４】
【補正対象書類名】明細書
【補正対象項目名】００１２
【補正方法】変更
【補正の内容】
【００１２】
また本発明によれば、複数のグループのそれぞれに単数または複数のコンテンツを示す情報が割り当てられており、前記複数のグループのうち任意のグループを指定するために用いられ、前記複数のグループにそれぞれ対応した複数のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報のそれぞれに対応した複数の番組指定用表示パターンとを同時に表示する表示信号を生成する信号生成装置であって、
指示に応じて前記複数のグループ指定用表示パターンのうち前記指示前に前記表示されていなかった前記グループ指定用表示パターンを前記画面に表示し、前記指示に応じて前記複数の番組指定用表示パターンのうち前記指示前に前記表示されていなかった前記番組指定用表示パターンを前記画面に表示する表示信号を生成する信号生成手段を有する、ことを特徴とする、信号生成装置が提供される。
【手続補正１５】
【補正対象書類名】明細書
【補正対象項目名】００１３
【補正方法】変更
【補正の内容】
【００１３】
本発明によれば、複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを画面に表示し、
ユーザによる一定方向の操作に応じて、前記複数のグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを表示する、ことを特徴とする、表示制御方法が提供される。
【手続補正１６】
【補正対象書類名】明細書
【補正対象項目名】００１４
【補正方法】変更
【補正の内容】
【００１４】
好ましくは、前記一定方向に直交する方向の操作に応じて、前記複数のコンテンツ指定用表示パターンをスクロール表示させる。
また好ましくは、指示に応じて、前記複数のグループ指定用表示パターンのうち前記指示前に前記表示されていなかった前記グループ指定用表示パターンを前記画面に表示し、前記指示に応じて、前記複数のコンテンツ指定用表示パターンのうち前記指示前に前記表示されていなかった前記コンテンツ指定用表示パターンを前記画面に表示する。
【手続補正１７】
【補正対象書類名】明細書
【補正対象項目名】００１５
【補正方法】変更
【補正の内容】
【００１５】
本発明によれば、複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを画面に表示する、第１表示処理手段と、
ユーザによる一定方向の操作に応じて、前記複数のグループ指定用表示パターンから１つのグループを指定する指定手段と、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを表示する、第２表示処理手段と、
を有することを特徴とする、表示制御装置が提供される。
【手続補正１８】
【補正対象書類名】明細書
【補正対象項目名】００１６
【補正方法】変更
【補正の内容】
【００１６】
本発明によれば、複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを一定方向に表示し、
ユーザによる一定方向の操作に応じて、前記複数のグループ指定用表示パターンから１つのグループを指定し、
前記指定されたグループに属する前記単数または複数のコンテンツの内容を示す情報のうち任意のコンテンツの内容を示す情報を指定するために用いられ、前記指定されたグループに属する前記単数または複数のコンテンツのそれぞれに対応した複数のコンテンツ指定用表示パターンを、前記一定方向に直行する方向に表示する、ことを特徴とする表示制御方法が提供される。
【手続補正１９】
【補正対象書類名】明細書
【補正対象項目名】００１７
【補正方法】変更
【補正の内容】
【００１７】
また本発明によれば、複数のグループのそれぞれに単数または複数のコンテンツの内容を示す情報が割り当てられており、前記複数のグループのうち任意のグループを指定するために用いられ、前記複数のグループにそれぞれ対応した複数のグループ指定用表示パターンを一定方向に表示する、第１の表示処理手段と、ユーザによる一定方向の操作に応じて、前記複数のグループ指定用表示パターンから１つのグループを指定する、指定手段と、前記指定されたグループに属する前記単数または複数のコンテンツの内容を示す情報のうち任意のコンテンツの内容を示す情報を指定するために用いられ、前記指定されたグループに属する前記単数または複数のコンテンツのそれぞれに対応した複数のコンテンツ指定用表示パターンを、前記一定方向に直行する方向に表示する、第２の表示処理手段とを有する、ことを特徴とする表示制御装置が提供される。
【手続補正２０】
【補正対象書類名】明細書
【補正対象項目名】００１８
【補正方法】変更
【補正の内容】
【００１８】
【発明の実施の形態】
第１実施形態
図１は、本実施形態の受信装置を説明するための図である。
図１に示すように、受信装置１は、受信部２、信号処理部３、表示部４、入力操作部５を有する。
本実施形態では、プログラム（番組）が本発明のコンテンツの内容を示す情報に対応しており、テーマが本発明のグループに対応している。
また、信号処理部３が本発明の信号生成装置の信号生成手段に対応している。
【手続補正２１】
【補正対象書類名】明細書
【補正対象項目名】００３０
【補正方法】変更
【補正の内容】
【００３０】
プログラム指定用領域２２には、例えば、上述した処理段階では、プログラム指定用表示パターンは表示されていない。
主画面領域２３には、予め初期設定で決められたプログラムの映像が表示されている。